(57)【要約】【課題】バルコニーやベランダに設置される物干し竿掛けを防犯対策商品に改良する。【解決手段】バルコニーや、ベランダに必ず設置される物干し竿掛けにおいて、該物干し竿掛けは、バルコニーやベランダからの侵入する侵入盗を感知センサーにて感知して、明るいフラッシュ光にて撤退させる構成、並びに物干し竿掛けに照明装置を備え任意に自動点灯、または自動消灯可能に構成して防犯対策を講じた構成、夜間の洗濯物取り込み作業等を安全に行うための照明設備を構成する等の機能を有した物干し竿掛けを提供する。【選択図】図３
2006020851.tif 000002
【特許請求の範囲】
【請求項１】
ベランダやバルコニーに設置される壁付き用、または手摺付き用の一対の物干し竿掛けにそれぞれ照明器具を適宜位置に設置したことを特徴とする物干し竿掛け。    
【請求項２】
前記一対の物干し竿掛けにそれぞれ設置される照明器具により該対向して設けられた該物干し竿掛け間を照射することを特徴とする請求項１記載の物干し竿掛け。
【請求項３】
前記一対の物干し竿掛けの内いずれか一本の物干し竿掛けのみに前記照明器具を設置したことを特徴とする請求項１記載の物干し竿掛け。
【請求項４】
前記物干し竿掛けに設置される照明器具は物干し竿掛けにソーラーパネルを内蔵または外付けにて設け、該ソーラーパネルにより得た電気を蓄電池に蓄え、該電気で夜間に物干し竿掛け近傍を照明可能としたことを特徴とする請求項１乃至請求項３記載の物干し竿掛け。
【請求項５】
前記物干し竿掛けの照明器具に使用されるライトはタングステン球、ハロゲン球、または、高輝度発光ダイオードを用いたことを特徴とする請求項１乃至請求項４記載の物干し竿掛け。
【請求項６】
前記物干し竿掛けの照明器具用電源は太陽電池電源と通常の屋内電源を併用し該電源を任意に選択して使用することを特徴とする請求項１乃至５記載の物干し竿掛け。
【請求項７】
前記物干し竿掛けの照明用電源は夜間自動照明センサーを付加する事で夜間になると自動的に点灯でき、また、夜明けと共に自動的に消灯可能にしたことを特徴とする請求項１乃至請求項６記載の物干し竿掛け。
【請求項８】
前記物干し竿掛けの照明用電源には熱感知センサーを接続設置することで、該熱感知センサー範囲内に侵入者が入ると照明器具が動作してライトが点灯し、該ライトの点灯による灯りで侵入者に警告を促すことを特徴とする請求項１乃至請求項７記載の物干し竿掛け。
【請求項９】
前記物干し竿掛けに設けた照明用電源には熱感知センサーを接続設置することにより、夜間バルコニーで干し物等の作業をするときに自動的に点灯する照明装置となることを特徴とする請求項１乃至請求項６記載の物干し竿掛け。
【請求項１０】
前記物干し竿掛けの照明器具は感知センサーが感知して点灯する点灯保持時間を調整可能な設定機構が具備されていることを特徴とする請求項１乃至請求項６記載の物干し竿掛け。
【請求項１１】
前記物干し竿掛けの照明器具はセンサーが感知して点灯する際の照度を調整できる設定機構が具備されており点灯時並びに点灯後に明るさを調整できることを特徴とする請求項１乃至請求項６記載の物干し竿掛け。
【請求項１２】
前記物干し竿掛けの照明器具はセンサーが感知して点灯する際の動作をフラッシュタイプ或いは通常の点灯のみのタイプに調整できる設定機構が具備されており、該フラッシュタイプは設定によりフラッシュ間隔を任意に調整できることを特徴とする請求項１乃至請求項１１記載の物干し竿掛け。
【請求項１３】
前期物干し竿掛けの竿受けアーム外周部に豆電球を任意間隔で取付、該豆電球の点灯により竿受けアームの外周部アウトラインが夜間でも解るように構成して、夜間ベランダで利用者が竿受けアームに頭部等を強打しないようにしたことを特徴とする請求項１乃至請求項６記載の物干し竿掛け。
【請求項１４】
前記物干し竿掛けに設けられる太陽電池の蓄電池は竿掛けアームの支柱空洞部に内蔵した構成としたことを特徴とする請求項１乃至請求項１３記載の物干し竿掛け。
【請求項１５】
前記物干し竿掛けに設けられる照明器具の発光部は竿掛けアームの支柱下端部位置に内蔵または外付けされるか、竿掛けアームの支柱上部に冠設された竿掛けアーム挟持部の両側に内蔵または外付けされた構成としたことを特徴とする請求項１乃至請求項１４記載の物干し竿掛け。
【請求項１６】
前記物干し竿掛けに設けられる照明器具の熱感知センサーは竿掛けアームの支柱下部に内蔵または外付けされるか構成としたことを特徴とする請求項１乃至請求項１５記載の物干し竿掛け。
【請求項１７】
前記照明器具の熱感知センサーは竿掛けアームの支柱下部に内蔵または外付けされ、該前方のバルコニーまたはベランダ側に向かってそれぞれ略６０度の範囲で感知範囲を有することを特徴とする請求項１乃至請求項１６記載の物干し竿掛け。
【請求項１８】
前記物干し竿掛けに設けられる太陽電池用のソーラーパネルは、竿掛けアームの支柱上端部に冠設された竿受けアーム挟持部の建物外部側に内蔵又は外付けした構成としたことを特徴とする請求項１乃至請求項１７記載の物干し竿掛け。
【請求項１９】
前記物干し竿掛けに取り付けられる照明器具の電源となる太陽電池用ソーラーパネルは、該物干し竿掛けが設置される腰壁、または、金属製手摺の建物外部側にソーラーパネルのモジュールとして設置する構成としたことを特徴とする請求項１乃至請求項１７記載の物干し竿掛け。
【請求項２０】
前記物干し竿掛けに太陽電池用ソーラーパネル、蓄電池、照明器具を全て物干し竿掛けに内蔵または外付けすることにより、該物干し竿掛けをベランダ並びにバルコニーの手摺支柱、腰壁、窓壁、または、軒天に取り付けるのみで必要時に太陽電池電源にて種々照明操作が可能なことを特徴とする請求項１乃至１８記載の物干し竿掛け。
【請求項２１】
前記物干し竿掛けの形状がベース基礎ブロック等により独立して専用庭、ルーフバルコニー等に立設されるタイプの物干し竿掛けであることを特徴とする請求項２０記載の物干し竿掛け。
【請求項２２】
前記物干し竿掛けの形状が軒天から装架されるタイプの軒天用物干し竿掛けであることを特徴とする請求項２０記載の物干し竿掛け。
【請求項２３】
前記物干し竿掛けの形状が戸建て住宅のベランダ等に主に設置される窓壁取付用物干し竿掛けであることを特徴とする請求項２１記載の物干し竿掛け。
【発明の詳細な説明】
【技術分野】
【０００１】
本発明は、バルコニーやベランダに設置される物干し竿掛けに関するものである。本発明の物干し竿掛けは、特にソーラーパネル、蓄電池、高輝度発光ダイオードーからなる照明器具を有し、該照明器具をセンサーにより点灯、または消灯、更にはフラッシュ動作させることで、防犯対策を施した商品とした。また、本発明は、夜間に暗いバルコニーやベランダ等を明るく照らす照明器具を具備することにより、洗濯物の取り込みや、バルコニーやベランダでの種々の作業が効率良く行える。
【０００２】
更に本発明は、暗くなるとアンバー系やステンカラー系に着色された物干し竿受けアームが闇に同化して見えなくなり、利用者が頭部を竿受けアームに強打する事故等を竿受けアーム外周部に発光ダイオードや豆電空を適宜間隔で設け点灯することにより防止することができる新規な物干し竿掛けを提供する。
【背景技術】
【０００３】
マンション等では、バルコニーを伝わって各戸に留守中に侵入する空き巣狙いや、夜間の就寝中に忍び込む忍び込み等の侵入盗が多くなってきている。
侵入盗の犯罪に対する防犯対策商品として、バルコニーやベランダ側のサッシにブザー警報装置やガラス割防止商品等があるが、これらは、侵入されてからの対策品であり、侵入盗の侵入を未然に防ぐものではではなかった。また、戸建て住宅にあっても身を隠せる二階ベランダから侵入する侵入盗による被害も多い。
【０００４】
而して、本発明は、マンション或いは戸建て住宅のバルコニーや、ベランダに必ず設置される物干し竿掛けに関する物であり、該物干し竿掛けは、バルコニーやベランダからの侵入する侵入盗を感知センサーにて感知して、明るいフラッシュ光にて撤退させる構成、並びに物干し竿掛けに照明装置を備え任意に自動点灯、または自動消灯可能に構成して防犯対策を講じた構成、夜間の洗濯物取り込み作業等を安全に行うための照明設備を構成する等の機能を有した新規な物干し竿掛けを提供する。
【０００５】
従来、バルコニーやベランダからの侵入盗に対応する空き巣や忍び込み防止策の警報装置や防犯対策配慮商品は種々製造・販売されているが、バルコニーやベランダに設置される物干し竿掛けにおいて、侵入盗を撤退させる機能を有する商品は皆無であった。
【０００６】
また、最近は、出幅の広くなってきているバルコニーやベランダが多く見られるが、それらのバルコニー等においては、夜間照明設備が付帯されているものはすくなく、入居者がサッシ開口部からの室内照明を頼りにバルコニーで作業をするか、入居者が個々にバルコニー照明設備を必要に応じて設置しているケースが多い。
【発明の開示】
【発明が解決しようとする課題】
【０００７】
本発明が解決しようとする課題は、マンション或いは戸建て住宅のバルコニーや、ベランダに必ず設置される物干し竿掛けにおいて、該物干し竿掛けは、バルコニーやベランダからの侵入する侵入盗を感知センサーにて感知して、明るいフラッシュ光にて撤退させる構成、並びに物干し竿掛けに照明装置を備え任意に自動点灯、または自動消灯可能に構成して防犯対策を講じた構成、夜間の洗濯物取り込み作業等を安全に行うための照明設備を構成する等の機能を有した新規な物干し竿掛けを提供するものである。
【課題を解決するための手段】
【０００８】
本発明は、ベランダやバルコニーに設置される壁付き用、または手摺付き用の一対の物干し竿掛けにそれぞれソーラーパネル、蓄電池、及びライトからなる照明器具を適宜位置に設置し、前記一対の物干し竿掛けにそれぞれ設置される照明器具により該対向して設けられた該物干し竿掛け間を照射するよう構成した物干し竿掛けを提供した。
【０００９】
また、本発明は、照明器具を有する一対の物干し竿掛けの内いずれか一本の物干し竿掛けのみに照明器具を設置した構成でも十分に目的を達成できる物干し竿掛けを提供した。
【００１０】
また、本発明において、物干し竿掛けに設置される照明器具は物干し竿掛けにソーラーパネルを内蔵または外付けにて設け、該ソーラーパネルにより得た電気を蓄電池に蓄え、該電気で夜間に物干し竿掛け近傍を照明可能となし、
前記照明器具に使用されるライトはタングステン球、ハロゲン球、または、高輝度発光ダイオードを用いた構成の物干し竿掛けを提供した。
【００１１】
そして前記物干し竿掛けの照明器具用電源は、太陽電池電源と通常の屋内電源を併用して任意に選択して使用することも可能な構成とした。
【００１２】
斯くして、本発明において、物干し竿掛けの照明用電源は夜間自動照明センサーを付加する事で夜間になると自動的に点灯でき、夜明けと共に自動的に消灯可能にした構成、
また、該物干し竿掛けの照明用電源は熱感知センサーを接続設置することで、該熱感知センサー範囲内に侵入者が入ると照明器具が動作してライトが点灯し、ライトの点灯による灯りで侵入者に警告を促すことのできる構成、
更には、該物干し竿掛けに設けた照明用電源は感知センサーを接続設置することにより、夜間バルコニーで干し物等の取り込み作業をするときに自動的に点灯する構成を有する照明装置を具現化した。
【００１３】
また、本発明において、物干し竿掛けの照明器具は感知センサーが感知して点灯する点灯保持時間を調整可能な設定機構が具備されていること、
或いは、前記照明器具はセンサーが感知して点灯する際の照度を調整できる設定機構が具備されており点灯時並びに点灯後に明るさを調整できること、
並びに、前記照明器具はセンサーが感知して点灯する際の動作をフラッシュタイプや通常の点灯のみのタイプに調整できる設定機構が具備されており、該フラッシュタイプは設定によりフラッシュ間隔を任意に調整できる構成とした。
【００１４】
また、本発明においては、物干し竿掛けの竿受けアーム外周部に豆電球を任意間隔で取付、該豆電球の点灯により竿受けアームの外周部アウトラインが夜間でも解るように構成して、夜間ベランダで利用者が竿受けアームに頭部等を強打しないように構成した。
【００１５】
また、本発明においては、物干し竿掛けに設けられる太陽電池の蓄電池は竿掛けアームの支柱空洞部に内蔵した構成とした。
【００１６】
また、本発明においては、物干し竿掛けに設けられる照明器具の発光部は竿掛けアームの支柱下端部位置に内蔵または外付けされるか、竿掛けアームの支柱上端部に冠設した竿掛けアーム挟持部両側に内蔵又は外付けした構成とした。
【００１７】
また、本発明においては、物干し竿掛けに設けられる照明器具の熱感知センサーは竿掛けアームの支柱下部に内蔵または外付けされる構成とし、該熱感知センサーは前方のバルコニーまたはベランダ側に向かってそれぞれ略６０度の範囲で感知範囲を有する構成とした。
【００１８】
また、本発明においては、物干し竿掛けに設けられる太陽電池用のソーラーパネルは、竿掛けアームの支柱上端部に冠設された竿受けアーム挟持部の建物外部側に内蔵又は外付けした構成とした。
【００１９】
また、本発明においては、物干し竿掛けに取り付けられる照明器具の電源となる太陽電池用ソーラーパネルは、該物干し竿掛けが設置される腰壁、または、金属製手摺の建物外部側にソーラーパネルのモジュールとして設置する構成とすることも可能である。
【００２０】
また、本発明は、物干し竿掛けに太陽電池用ソーラーパネル、蓄電池、照明器具を全て物干し竿掛けに内蔵または外付けする構成を採用することより、該物干し竿掛けをベランダ並びにバルコニーの手摺支柱、腰壁、窓壁、または、軒天に取り付けるのみで必要時に太陽電池電源にて種々照明操作が可能である。
【００２１】
斯くして、本発明は、物干し竿掛けの形状がベース基礎ブロック等により独立して専用庭、ルーフバルコニー等に立設されるタイプの物干し竿掛けである場合、
または、物干し竿掛けの形状が軒天から装架されるタイプの軒天用物干し竿掛けである場合、
更には物干し竿掛けの形状が戸建て住宅のベランダ等に主に設置される窓壁取付用物干し竿掛けである場合にも実施できる。
【発明の効果】
【００２２】
本発明は、マンション或いは戸建て住宅のバルコニーや、ベランダに必ず設置される物干し竿掛けに上述の構成を施すことにより、該物干し竿掛けは、バルコニーやベランダからの侵入する侵入盗を感知センサーにて感知して、明るいフラッシュ光にて撤退させることができる。
【００２３】
また、物干し竿掛けに照明器具を備え任意に自動点灯、または自動消灯可能に構成して、侵入盗が身を隠す暗がりをなくすことや、照明によるカムフラージュにより留守、在宅が解りにくい状態を作り、留守中に忍び込む空き巣狙いの防犯対策を講じた物干し竿掛けを提供することができた。
【００２４】
更に本発明にあっては、防犯機能の他に物干しに照明設備が組み込まれていることで、夜間の建物の外観演出、即ち、ライトアップ効果や、夜間の洗濯物取り込み作業等を安全に行うことが可能となったり、バルコニーやベランダでの活動時間も多くなり、犯罪の防止に貢献する物干し竿掛けを提供することができた。
【発明を実施するための最良の形態】
【００２５】
本発明は、ベランダやバルコニーに設置される壁付き用、または手摺付き用の一対の物干し竿掛けにそれぞれ照明器具を適宜位置に設置し、前記一対の物干し竿掛けにそれぞれ設置されるソーラーパネル、蓄電池、高輝度発光ダイオード等からなる照明器具により該対向して設けられた該物干し竿掛け間を照射するよう構成した物干し竿掛けを要旨としている。
【００２６】
また、本発明は、照明器具を有する一対の物干し竿掛けの内いずれか一本の物干し竿掛けのみに照明器具を設置した構成でもよい。
【００２７】
また、本発明において、物干し竿掛けに設置される照明器具は物干し竿掛けにソーラーパネルを内蔵または外付けにて設け、該ソーラーパネルにより得た電気を蓄電池に蓄え、該電気で夜間に物干し竿掛け近傍を照明可能となし、
前記照明器具に使用されるライトは、高輝度発光ダイオードを用いた構成が好ましいが、従来よりよく知られているタングステン球、ハロゲン球でも良い。
【００２８】
そして前記物干し竿掛けの照明器具用電源は、太陽電池電源と通常の屋内電源を併用して任意に選択して使用することもできる。
【００２９】
斯くして、本発明において、物干し竿掛けの照明用電源は夜間自動照明センサーを付加する事で夜間になると自動的に点灯でき、夜明けと共に自動的に消灯可能にした構成、
また、該物干し竿掛けの照明用電源は熱感知センサーを接続設置することで、該熱感知センサー範囲内に侵入者が入ると照明器具が動作してライトが点灯し、ライトの点灯による灯りで侵入者に警告を促すことのできる構成、
更には、該物干し竿掛けに設けた照明用電源は感知センサーを接続設置することにより、夜間バルコニーで干し物等の取り込み作業をするときに自動的に点灯する構成を有することが好ましい。
【００３０】
また、本発明において、物干し竿掛けの照明器具は感知センサーが感知して点灯する点灯保持時間を調整可能な設定機構が具備されていること、
或いは、前記照明器具はセンサーが感知して点灯する際の照度を調整できる設定機構が具備されており点灯時並びに点灯後に明るさを調整できること、
並びに、前記照明器具はセンサーが感知して点灯する際の動作をフラッシュタイプや通常の点灯のみのタイプに調整できる設定機構が具備されており、該フラッシュタイプは設定によりフラッシュ間隔を任意に調整できることが好ましい。
【００３１】
また、本発明においては、物干し竿掛けの竿受けアーム外周部に豆電球を任意間隔で取付、該豆電球の点灯により竿受けアームの外周部アウトラインが夜間でも解るように構成して、夜間ベランダで利用者が竿受けアームに頭部等を強打しないように構成する。
【００３２】
また、本発明においては、物干し竿掛けに設けられる太陽電池の蓄電池は竿掛けアームの支柱空洞部に内蔵した構成が好ましい。
【００３３】
また、本発明においては、物干し竿掛けに設けられる照明器具の発光部は竿掛けアームの支柱下端部位置に内蔵または外付けされるか、竿掛けアームの支柱上端部に冠設した竿掛けアーム挟持部両側に内蔵又は外付けした構成が好ましい。
【００３４】
また、本発明においては、物干し竿掛けに設けられる照明器具の熱感知センサーは竿掛けアームの支柱下部に内蔵または外付けされ、該熱感知センサーは前方のバルコニーまたはベランダ側に向かってそれぞれ略６０度の範囲で感知範囲を有する構成が好ましい。
【００３５】
また、本発明においては、物干し竿掛けに設けられる太陽電池用のソーラーパネルは、竿掛けアームの支柱上端部に冠設された竿受けアーム挟持部の建物外部側に内蔵又は外付けした構成が好ましい。
【００３６】
また、本発明においては、物干し竿掛けに取り付けられる照明器具の電源となる太陽電池用ソーラーパネルは、該物干し竿掛けが設置される腰壁、または、金属製手摺の建物外部側にソーラーパネルのモジュールとして設置する構成とすることも好ましい。
【００３７】
また、本発明は、物干し竿掛けに太陽電池用ソーラーパネル、蓄電池、照明器具を全て物干し竿掛けに内蔵または外付けする構成を採用することより、該物干し竿掛けをベランダ並びにバルコニーの手摺支柱、腰壁、窓壁、または、軒天に取り付けるのみで必要時に太陽電池電源にて種々照明操作ができることが好ましい。
【００３８】
斯くして、本発明は、物干し竿掛けの形状がベース基礎ブロック等により独立して専用庭、ルーフバルコニー等に立設されるタイプの物干し竿掛けである場合、
または、物干し竿掛けの形状が軒天から装架されるタイプの軒天用物干し竿掛けである場合、
更には物干し竿掛けの形状が戸建て住宅のベランダ等に主に設置される窓壁取付用物干し竿掛けである場合等にも実施できることが好ましい。
【実施例１】
【００３９】
図１は本発明にて構成される物干し竿掛けの片側一本の形状例を示す側面図、図２は図１を建物内部側より見た正面図で共に竿うけアームは収納状態にある。図３は竿受けアームを水平位置より略４０度上向き方向に固定して、洗濯物を乾燥させる状態を示している。また、図４は図１乃至図３にて示した物干し竿掛けをバルコニー壁面に一対配置して、対向して設けられる物干し竿掛け間の距離、並びに熱感知センサーの好ましい感知範囲を説明している平面略図である。そして、図５は、本発明の照明器具の概要を示すブロック図である。
【００４０】
図１乃至図５において、１はバルコニー手摺を構成する腰壁、２は本発明の物干し竿掛け、３は物干し竿掛けの支柱固定金具、４は竿受けアームの支柱、５は竿受けアームで、該竿受けアーム５は支柱４上端部に冠設されたアーム挟持部６に回動自在に挟持され、図１の如く竿受けアーム５の収納位置、及び図３に示す如く竿受けアーム５を水平位置より略４０度上向き方向に固定して洗濯物を乾燥させる状態にセットできる。尚７a、７ｂ、７ｃ・・・は竿受けアーム５に穿設された竿受け孔である。
【００４１】
而して、前記支柱４の下端部８で照明器具の発光部９が支柱４に内蔵されるか、または外付けにて設置されている。また、該発光部９に近接して設けられる熱感知センサー１０は、人の体から出ている熱線（赤外線）を集束するレンズとこれに反応する素子、電気回路の組み合わせにて電気的信号を出力するもので、支柱４の下端部に内蔵または外付けされている。
【００４２】
また、支柱４の上端部に冠設されているアーム挟持部６にはソーラーパネル１１が内蔵または外付けされており、該アーム挟持部６の上部には昼夜の識別をする明るさ識別センサー１２、並びに実施例によっては、両サイドにそれぞれ照明器具の発光部１３a、１３ｂが内蔵または外付けにて設置されている。
【００４３】
本発明は、図４に示す如く一対の物干し竿掛け間の距離がＰが略２５００ｍｍとした。また、熱感知センサー１０は竿受けアーム５の支柱４下部に内蔵または外付けされ、該熱感知センサー１０は、図４の如く前方のサッシＳ側に向かってそれぞれ感知角度Ｒが略６０度の範囲で感知範囲を有する構成となっている。
【００４４】
また、本発明に使用される照明器具は、図５に示す如くソーラーパネル１１により得た電気を充放電コントローラー１４を介して蓄電池１５（支柱４上部に内蔵）に蓄え、該電気で夜間に物干し竿掛け２近傍をライト１７にて照明可能となし、前記照明器具に使用されるライト１７は高輝度発光ダイオードを用いるか、従来よりよく知られているタングステン球またはハロゲン球を用いても良い。
【００４５】
そして前記物干し竿掛け２の照明器具用電源は、直流で得られた電気をインバーター１６を介して交流電源に変換して使用するよう構成しておくことにより、該太陽電池電源と通常の屋内電源を結線し併用して任意に選択して使用することで、日照不足による太陽電池の欠点を補うことができる。
【００４６】
斯くして、本発明において、物干し竿掛け２の照明用電源は、前記明るさ識別センサー１２等の夜間自動照明センサーを付加する事で夜間になると自動的に点灯でき、夜明けと共に自動的に消灯可能にした構成、また、該物干し竿掛け２の照明用電源は熱感知センサー８を接続設置することで、該熱感知センサー８範囲内に侵入者が入ると照明器具が動作してライト１７が点灯し、ライト１７の点灯による灯りで侵入者に警告を促すことのできる構成、更には、該物干し竿掛けに設けた照明用電源は感知センサー８を接続設置することにより、夜間バルコニーで干し物等の取り込み作業をするときに自動的に点灯する構成とすることができる。
【００４７】
また、他の実例として、物干し竿掛け２の照明器具は熱感知センサー８が感知してライト１７が点灯する点灯保持時間を調整可能な設定機構を設けること、
或いは、前記照明器具は熱感知センサー８が感知してライト１７が点灯する際の照度を調整できる設定機構が具備されておりライト１７の点灯時並びに点灯後に明るさを調整できること、
並びに、前記照明器具は熱感知センサー８が感知してライト１７点灯する際の動作をフラッシュタイプや通常の点灯のみのタイプに調整できる設定機構が具備でき、該フラッシュタイプは設定によりフラッシュ間隔を任意に調整できることも可能である。
【実施例２】
【００４８】
図６は、竿受けアームを拡大した側面図を示している。
図６において、竿受け孔７a、７ｂ、７ｃ・・・が穿設されている竿受けアームの外周部１８には任意間隔で高輝度発光ダイオードや豆電球１９a、１９ｂ、１９ｃ・・・が取り付けてあり、該高輝度発光ダイオードや豆電球の点灯により竿受けアーム４の外周部アウトラインが夜間でも解るように構成して、夜間ベランダで利用者が竿受けアームに頭部等を強打しないように構成してある。
【実施例３】
【００４９】
図７は、物干し竿掛けの形状がベース基礎ブロック２０等により独立して専用庭、ルーフバルコニー等に立設されるタイプの物干し竿掛け２１を示している。
図７において、１１はソーラーパネルであり、１７は高輝度発光ダイオード等からなるライト１７を示している。物干し竿受けアーム５とポール２２の連結部２３には蓄電池１５が内蔵されており、該ポール２２の任意位置には熱感知センサー１０が内蔵又は外付けされている。
斯くして、実施例３は、ベース基礎ブロック２０等により独立して専用庭、ルーフバルコニー等に立設されるタイプの物干し竿掛け２１の実施例を示している。
【実施例４】
【００５０】
図８は、、物干し竿掛けの形状が軒天２４から装架されるタイプの軒天用物干し竿掛け２５を示している
図８において、１１はソーラーパネルであり、１７は高輝度発光ダイオード等からなるライトを示している。竿受けアーム５とポール２６の連結部には蓄電池１５が内蔵されており、該ポール２６の任意位置には熱感知センサー１０が内蔵又は外付けされている。
斯くして実施例４は、軒天２４から装架されるタイプの軒天用物干し竿掛け２５において本発明を実施した例を示した。
【実施例５】
【００５１】
図９は窓壁に取り付けられて使用する物干し竿掛け２７を示している。
図９において、２８は窓壁、２７は該窓壁にアンカーボルト２９，３０を介して設置された一対の物干し竿掛けであり、該物干し竿掛け２７は支持体３１と該支持体に支承される竿受けアーム５から構成されている。而して、前記竿受けアーム５には物干し竿３２の竿受け孔７a、７ｂ、７ｃ・・・が穿設されている。そして１７は高輝度発光ダイオード等からなるライト、支持体３１の上部にはソーラーパネル１１が、支持体３１のパイプ内部には蓄電池１５が内蔵されており、支持体３１下方向部には熱感知センサー１０が内蔵または外付けされている。
斯くして、実施例５においては、戸建て住宅のベランダ等に主に設置される窓壁取付用物干し竿掛け２７に本発明を実施した例を示した。
【産業上の利用可能性】
【００５２】
斯くして、本発明は、マンション或いは戸建て住宅のバルコニーや、ベランダに必ず設置される物干し竿掛けに上述の構成を施すことにより、該物干し竿掛けは、バルコニーやベランダからの侵入する侵入盗を感知センサーにて感知して、明るいフラッシュ光にて撤退させることができる。
【００５３】
また、物干し竿掛けに照明器具を備え任意に自動点灯、または自動消灯可能に構成して、侵入盗が身を隠す暗がりをなくすことや、照明によるカムフラージュにより留守、在宅が解りにくい状態を作り、留守中に忍び込む空き巣狙いの防犯対策を講じた物干し竿掛けを提供することができた。
【００５４】
更に本発明にあっては、防犯機能の他に物干しに照明設備が組み込まれていることで、夜間の建物の外観演出、即ち、ライトアップ効果や、夜間の洗濯物取り込み作業等を安全に行うことが可能となったり、バルコニーやベランダでの活動時間も多くなり、犯罪の防止に貢献する物干し竿掛けを提供することがで、該効果を有する物干し竿掛けは、産業上広く活用されるもので、その利用価値は多大なものがある。
【図面の簡単な説明】
【００５５】
【図１】本発明の実施例１を示す側面図である。
【図２】図１の正面図である
【図３】図１の収納状態から、竿受けアームを回動した状態を示す側面図である。
【図４】一対の物干し竿掛け設置した状態を説明図する平面図である。
【図５】本発明の照明器具の概要を示すブロック図である。
【図６】本発明の実施例２を示す側面図である。
【図７】本発明の実施例３を示す説明図である。
【図８】本発明の実施例４を示す説明図である。
【図９】本発明の実施例５を示す説明図である。
【符号の説明】
【００５６】
１  腰壁
２  物干し竿掛け
３  支柱固定金具  
４  支柱
５  竿受けアーム
６  アーム挟持部
７a、７ｂ、７ｃ・・・  竿受け孔
８  支柱下端部
９  発光部
１０  熱感知センサー
１１  ソーラーパネル
１２  明るさ識別センサー
１３a、１３ｂ  発光部
１４  充放電コントローラー
１５  蓄電池
１６  インバーター
１７  ライト
１８  竿受けアーム外周部
１９a、１９ｂ、１９ｃ・・・  発光ダイオードまたは豆電球
２０  基礎ブロック
２１  物干し竿掛け
２２  ポール
２３  連結部
２４  軒天
２５  物干し竿掛け
２６  ポール
２７  物干し竿掛け
２８  窓壁
２９  アンカーボルト
３０  アンカーボルト
３１  支持体
３２  物干し竿
Ｐ：物干し竿掛け間の距離
Ｒ：センサー検知範囲
Ｓ：サッシ
【図１】
2006020851.tif 000003
【図２】
2006020851.tif 000004
【図３】
2006020851.tif 000005
【図４】
2006020851.tif 000006
【図５】
2006020851.tif 000007
【図６】
2006020851.tif 000008
【図７】
2006020851.tif 000009
【図８】
2006020851.tif 000010
【図９】
2006020851.tif 000011